(57)【要約】【課題】理容・美容業など衛生の求められる分野において使用する器具や布類等シート類を迅速かつ容易に消毒処理することのできる、消毒装置を提供すること。【解決手段】消毒装置１００は、筐体１と、筐体１内部に設けられた殺菌用光源２と、消毒対象物を殺菌消毒処理する際は筐体１内に収容し、一方、消毒対象物の設置および取り出しの際は筐体１外に引き出すことのできる消毒対象物設置用可動ユニット３とを備えたものとし、さらに可動ユニット３は筐体１内部に取付けられた基台部４１と、基台部４１上に摺動自在に設けられた可動ステージ部４２と、可動ステージ部４２上に設けられた布類消毒用ハンガー部５とを備えた構成とする。【選択図】  図１
2004166875.tif 000002
【特許請求の範囲】
【請求項１】
筐体と、該筐体内部に設けられた殺菌用光源と、消毒対象物を殺菌消毒処理する際は該筐体内に収容し、一方、消毒対象物の設置および取り出しの際は該筐体外に引き出すことのできる消毒対象物設置用可動ユニット（以下、「可動ユニット」ともいう。）と、を備えた消毒装置であって、該可動ユニットは、該筐体内部に取付けられた基台部と、該基台部上に摺動自在に設けられた可動ステージ部と、該可動ステージ部上に設けられた布類消毒用ハンガー部とを備えていることを特徴とする、消毒装置。
【請求項２】
前記殺菌用光源は少なくとも一基が前記筐体内の天井部に設けられ、前記布類消毒用ハンガー部は一または複数のハンガー単位から構成され、該ハンガー単位は、その上に展開された布類等シート類（以下、単に「布類等」という。）の形成する面に該殺菌用光源からの光が投影されるように、布類等を掛け渡した際に布類等に略平面を形成させる屋根状平面部二部が背骨部を挟んで設けられた、側面視形状が略逆Ｖ字状の、三角屋根状の構造であることを特徴とする、請求項１に記載の消毒装置。
【請求項３】
前記布類消毒用ハンガー部は、複数の前記ハンガー単位が、側面視形状が連続した略逆Ｖ字状をなすように水平方向に連結され、連結方向への折り畳みおよび引き伸ばしを自在とするハンガー部伸縮手段が設けられていることを特徴とする、請求項２に記載の消毒装置。
【請求項４】
前記ハンガー単位には、これに掛けた布類等をその上から押さえるための押圧手段が設けられ、該押圧手段は前記殺菌用光源からの光を透過することができるものであることを特徴とする、請求項３に記載の消毒装置。
【請求項５】
前記殺菌用光源は紫外線光源であり、該殺菌用光源は前記筐体内の天井部、および、前記可動ユニットもしくは該筐体の床部のいずれか一方に少なくとも設けられていることを特徴とする、請求項１ないし４のいずれかに記載の消毒装置。
【請求項６】
前記可動ユニットには、消毒対象の器具類を載置するための棚部が枢設され、使用の際にはこれを回動して水平方向に固定でき、一方不使用の際には垂直方向に畳んで固定できることを特徴とする、請求項１ないし５のいずれかに記載の消毒装置。
【発明の詳細な説明】
【０００１】
【発明の属する技術分野】
本発明は消毒装置に関し、特に、理容・美容業など衛生の求められる分野において使用する器具や布類等シート類を迅速かつ容易に消毒処理することのできる、消毒装置に関する。
【０００２】
【従来の技術】
理容・美容業において使用する器具類は、これらが顧客の人体に対し直接用いられるものであるため、適宜の方法で消毒処理がなされる。また顧客の顔その他の身体を清拭するためのタオル等もまた、蒸気加熱等適宜の方法で消毒処理がなされる。しかし顧客の衣類や身体に掛けたりして用いる布類については、従来から格別の消毒処理が日常的にはなされていないのが現状である。
【０００３】
かかる問題と関連する提案として、実用新案登録第３０５７４８９号の考案がある。これは紫外線を利用して、毛布・シーツ等の大きな物から、肌着・衣料品や清潔さを要する刃物等の小さな物まで、消毒殺菌することができる消毒殺菌装置である。その構成は、中空の箱の上面に開閉する蓋を設け、内部の前面と後面、底面に、取付位置と本数を変えることができる紫外線発光灯を付ける。そして、中央に平行のレールを設け、支えの支柱を取り付ける。さらに、平行のレールの左右にそれぞれ籠を取り付けることを、主たる構成とする。これにより、毛布・シーツ等はレールに掛け、より小さなサイズの物は籠に入れて、紫外線殺菌を施すことができる旨、述べられている。
【０００４】
【特許文献１】
実用新案登録第３０５７４８９号
【０００５】
【発明が解決しようとする課題】
しかし、この従来技術では、レールに掛ける消毒対象物、籠に入れる消毒対象物とも、箱の中に直接これらを手で入れる操作が必要があり、紫外線光源からの有害な紫外線を人体に浴びる危険性がある。また、特にレールに掛けるような大きなサイズの消毒対象物を装置内に入れる場合、紫外線光源に接触して破損等が生じる可能性もある。
【０００６】
また従来技術では、シーツ等を掛けるためのレールによる構造は単一であるため、消毒処理量は相当限定され、特に理容・美容業での用途のような業務目的には不便である。またこれら業務目的の消毒処理では、消毒処理後の布類のしわをできる限り伸ばした状態とすることも必要である。
【０００７】
本発明の課題は、上記従来技術の欠点を除き、特に、理容・美容業など衛生の求められる分野において使用する器具や布類を迅速かつ容易に消毒処理することのできる、消毒装置を提供することである。殊に、装置操作の際の安全性が高く、消毒対象物の設置が容易であり、さらに処理能力の高い消毒装置を提供することである。
【０００８】
【課題を解決するための手段】
本願発明者は上記課題について鋭意検討した結果、消毒対象物を設置する構造を可動性のものにする等の手段により上記課題を解決できることを見出し、本発明に至った。すなわち、上記課題を解決するための手段として本願で特許請求される発明は、以下のとおりである。
【０００９】
（１）筐体と、該筐体内部に設けられた殺菌用光源と、消毒対象物を殺菌消毒処理する際は該筐体内に収容し、一方、消毒対象物の設置および取り出しの際は該筐体外に引き出すことのできる消毒対象物設置用可動ユニット（以下、「可動ユニット」ともいう。）と、を備えた消毒装置であって、該可動ユニットは、該筐体内部に取付けられた基台部と、該基台部上に摺動自在に設けられた可動ステージ部と、該可動ステージ部上に設けられた布類消毒用ハンガー部とを備えていることを特徴とする、消毒装置。
【００１０】
（２）前記殺菌用光源は少なくとも一基が前記筐体内の天井部に設けられ、前記布類消毒用ハンガー部は一または複数のハンガー単位から構成され、該ハンガー単位は、その上に展開された布類等シート類（以下、単に「布類等」という。）の形成する面に該殺菌用光源からの光が投影されるように、布類等を掛け渡した際に布類等に略平面を形成させる屋根状平面部二部が背骨部を挟んで設けられた、側面視形状が略逆Ｖ字状の、三角屋根状の構造であることを特徴とする、（１）の消毒装置。
【００１１】
（３）前記布類消毒用ハンガー部は、複数の前記ハンガー単位が、側面視形状が連続した略逆Ｖ字状をなすように水平方向に連結され、連結方向への折り畳みおよび引き伸ばしを自在とするハンガー部伸縮手段が設けられていることを特徴とする、（２）の消毒装置。
【００１２】
（４）前記ハンガー単位には、これに掛けた布類等をその上から押さえるための押圧手段が設けられ、該押圧手段は前記殺菌用光源からの光を透過することができるものであることを特徴とする、（３）の消毒装置。
【００１３】
（５）前記殺菌用光源は紫外線光源であり、該殺菌用光源は前記筐体内の天井部、および、前記可動ユニットもしくは該筐体の床部のいずれか一方に少なくとも設けられていることを特徴とする、（１）ないし（４）のいずれかの消毒装置。
【００１４】
（６）前記可動ユニットには、消毒対象の器具類を載置するための棚部が枢設され、使用の際にはこれを回動して水平方向に固定でき、一方不使用の際には垂直方向に畳んで固定できることを特徴とする、（１）ないし（５）のいずれかの消毒装置。
【００１５】
本発明において、布類等シート類（単に「布類等」。）とは、繊維の織りにより構成されるシート（いわゆる織物、あるいは布。）のみでなく、その他の構成によるシート類を幅広く含む。したがって本発明の消毒装置の消毒処理対象には、かかるシート類がすべて含まれる。よって、本発明に係る「布類消毒用ハンガー部」がいわゆる織物、あるいは布のみをその対象とするものではないことは、いうまでもない。
【００１６】
【発明の実施の形態】
以下、本発明を図面により詳細に説明するが、本発明はこれらの図面に表されたものに限定されるものではない。
図１は、本発明の消毒装置の断面構成を示す説明図である。図において本装置は、筐体１と、該筐体１内部に設けられた殺菌用光源２と、消毒対象物を殺菌消毒処理する際は該筐体１内に収容し、一方、消毒対象物の設置および取り出しの際は該筐体１外に引き出すことのできる消毒対象物設置用可動ユニットである可動ユニット３と、を備え、該可動ユニット３は、該筐体１内部に取付けられた基台部４１と、該基台部４１上に摺動自在に設けられた可動ステージ部４２と、該可動ステージ部４２上に設けられた布類消毒用ハンガー部５とを備えていることを主たる構成とする（請求項１）。布類消毒用ハンガー部５の設けられた該可動ステージ部４２は、該基台部４１に対して水平方向に摺動して、該筐体１に対する出し入れが可能であるように構成される。
【００１７】
図において、前記殺菌用光源２は少なくとも一基が前記筐体１内の天井部１１に設けられた構成とすることができる（請求項２、前段。）。該殺菌用光源２は後述するように、該可動ステージ部４２や床部に設けることもできる。その他、筐体内の内壁部など、適宜の位置に、適宜の数設けることもできる。また該筐体１には、該可動ユニット３の可動ステージ部４２を筐体１の外部に引き出すことができるように設けられた扉部１８が備えられる。
【００１８】
該筐体１の材質としては、内部における紫外線等による殺菌処理に適するものであれば、適宜の金属材料、合成樹脂材料、その他の材料のものを、適宜用いることができる。この点は、該可動ユニット３を構成する各部においても同様である。また、該基台部４１と該可動ステージ部４２との摺動は、たとえば該基台部４１に設けたガイドレールに該可動ステージ部４２の下部を摺設する構造など、適宜の摺動方法により行うこととすることができる。
【００１９】
図２は、本発明の消毒装置の可動ステージ部を外に引き出した状態の断面構成を示す説明図である。図において本装置１００は、消毒対象物の設置および取り出しの際の状態にあり、該筐体１外に可動ユニット３の可動ステージ部４２が引き出された状態が示されている。
【００２０】
【作用】
図１に示す構成をとることにより、図１および図２に示すように、本発明の消毒装置１００では、扉部１８が開かれて筐体１内にある可動ステージ部４２が基台部４１に対して摺動して外部に引き出され（Ｓ）、該可動ステージ部４２に設けられている布類消毒用ハンガー部５に布類等の消毒対象物が掛け渡されて設置され、ついで該布類消毒用ハンガー部５が筐体１内部に再び収納され、消毒対象物は殺菌用光源２から照射される殺菌用光により消毒処理される。消毒処理終了後、該扉部１８が開かれ、該可動ステージ部４２は再び該筐体１外部に引き出され、消毒処理済みの消毒対象物が取り外され、該可動ステージ部４２は再び該筐体１内に収納される。
【００２１】
該布類消毒用ハンガー部５は後述するように複数のハンガー単位（５１  図３参照。）を備えて構成することができるため、多くの布類等消毒対象物を掛け渡すことができる。本装置１００では、消毒対象物の設置や取り外しは、殺菌用光源２からの光照射を避けることのできる装置外で行われるため、これらの作業の際に有害な光線を人体に浴びる危険性がない。しかし、前記扉部１８が開いている場合は光源２からの光照射が停止される適宜の機構を採用することにより、安全性をさらに確かなものとすることができる。
【００２２】
図３は、本発明の消毒装置の布類消毒用ハンガー部の側面方向視の構成を示す説明図である。図において本発明の消毒装置は、その布類消毒用ハンガー部５を、一または複数のハンガー単位５１から構成し、該ハンガー単位５１は、その上に展開された布類等の形成する面に該殺菌用光源２からの光が投影されるように、布類等を掛け渡した際に布類に略平面を形成させる屋根状平面部５１１二部が背骨部５１２を挟んで設けられた、側面視形状が略逆Ｖ字状の構造を有する、三角屋根状の構成とすることができる（請求項２、後段。）。
【００２３】
図において本装置の布類消毒用ハンガー部５は上述のように構成されるため、一または複数の各ハンガー単位５１には、その背骨部５１２を挟んで屋根状平面部５１１二部上に布類等が掛け渡されて設置されると、展開された布類等の形成する面には殺菌用光源２からの光が投影される状態となり、布類等の表面は略平面となるようにされる。すなわち本消毒装置における消毒対象物たる布類等の設置は、該布類消毒用ハンガー部５の備える三角屋根構造により、該殺菌用光源２からの光の照射に対して、影となる部分の発生がないようになされる。これにより、消毒装置内天井部１１に設けられた該殺菌用光源２から照射される殺菌用光が、消毒対象物である布類等にむらなく到達し、消毒処理の実効をあげることができる。
【００２４】
図において本発明の消毒装置の布類消毒用ハンガー部５は、複数の前記ハンガー単位５１が、側面視形状が連続した略逆Ｖ字状をなすように水平方向に連結され、連結方向への折り畳みおよび引き伸ばしを自在とするハンガー部伸縮手段５３が設けられている構成とすることができる（請求項３）。該連結は、たとえば隣接するハンガー単位５１の屋根状平面部５１１同士を連結させることにより行うことができる。
【００２５】
図においてまた、ハンガー部伸縮手段５３は、たとえば図のように、ハンガー部５の両端でそれぞれ固定された調節用部材二部を他方端部同士で固定位置調節可能に連結させた構成とし、該ハンガー部５を本装置１内部方向に押圧、または外部方向に引き出す操作と連続させて、この連結固定位置を調節することにより、該ハンガー部５全体を水平方向に伸縮させることができる。図において該ハンガー部伸縮手段５３は、該布類消毒用ハンガー部５全体とともに押縮方向Ｆの方向に押縮されて、該布類消毒用ハンガー部５の水平方向への折り畳みをさせることができる（図４参照）。
【００２６】
図において本装置の布類消毒用ハンガー部５には、支柱部５４を設け、これに後述する棚部６を枢設することができる（請求項６）。この場合該支柱部５４は、消毒対象物たる器具等を載置して消毒処理に供することができるよう、操作性を考慮して、該布類消毒用ハンガー部５の最外部側に設けることが望ましい。
【００２７】
図４は、本発明の消毒装置の布類消毒用ハンガー部５のハンガー単位５１を押縮し、棚部６を使用可能にセットした状態の、側面方向視の構成を示す説明図である。図において本装置の布類消毒用ハンガー部５に設けられたハンガー部伸縮手段５３はその長さが短くなるように調節されて、該布類消毒用ハンガー部５を水平方向に折り畳まれた状態にしている。係る伸縮は、任意の位置でこれを固定することができる。
【００２８】
また前記棚部６はＲ方向に回動されて水平に固定されることができ、この上には器具等の消毒対象物が載置され、これを消毒処理に供することができる。器具等の消毒処理が不要である場合は、該棚部６は前出図３に示したように垂直方向に畳んで固定できるようにすることができる。
【００２９】
図５は、本発明に係る布類消毒用ハンガー部の構成を斜視方向から示す説明図である。図において背骨部５１２を挟んで形成される二部の屋根状平面部５１１は、一枚の板状の構造であってもよいし、あるいは複数の細い糸状物を一定方向に配し張設し、もしくはこのような糸状物を縦横など複数方向に組み合わせて張設する、等して構成する平面状の構造であってもよい。この場合、後述するように殺菌用光源２が本装置の下部にも設けられる場合は、照射される光により生じる影の影響をなくすために、糸状物の張設方向は光線方向に沿った方向とすることが望ましい。
【００３０】
要するに、この上に掛け渡し設置する布類等の消毒対象物が、略平面を形成するように載置することのできる面が備えられていればよい。後述するように、殺菌用光源２が本装置の下部にも設けられる場合は、その光源からの光の照射を受けられるよう、該屋根状平面部５１が板状構造である場合は、殺菌用光を透過する材質を用いてこれを構成する。
【００３１】
図６は、本発明に係るハンガー単位に押圧手段を施した状態の側面方向視の構成を示す説明図である。図において本発明の消毒装置のハンガー単位５１には、これに掛けた布類等（図示せず。）をその上から押さえるための押圧手段５１３が設けられ、該押圧手段５１３は前記殺菌用光源２からの光を透過することができる構成とすることができる（請求項４）。係る押圧手段５１３を設けることにより、布類等にしわを生じさせず、あるいは布類等のしわを伸ばした仕上がりとすることができ、業務用目的としては特に効果がある。
【００３２】
該押圧手段５１３としては、布類等を平面状に伸ばした状態でこれに押圧を加えることができ、かつ殺菌用光源２からの光の照射を妨げない方法であれば、適宜のものを用いることができる。たとえば、複数の糸状物を一定方向に配し張設し、もしくはこのような糸状物を縦横など複数方向に組み合わせて張設する、等して構成する平面状の構造物であってもよい。この場合、殺菌用光源２により本装置内の上部方向から殺菌用光が照射されるため、照射される光により生じる影の影響をなくすために、糸状物の張設方向は光線方向に沿った方向とすることが望ましい。
【００３３】
図７は、本発明の押圧手段の例を、屋根上平面部の正面視方向から示す説明図である。図において本例の押圧手段は、ハンガー単位を構成する屋根状平面部５１１上の水平方向両端部にそれぞれ端部が固着された押圧シート５１６Ａ、および５１６Ｂから、主として構成される。一方の押圧シート５１６Ａにはシート固定手段５１９Ａ等が設けられる。押圧シート５１６Ａ、５１６Ｂ等は、殺菌用光源２から照射される殺菌用光を透過することのできる材料を用いて構成される。
【００３４】
またシート固定手段５１９Ａ等としては、たとえば再剥離の可能な粘着テープや、マジックテープ（登録商標）などの適宜の固定手段を用いることができる。該シート固定手段５１９Ａ等は、殺菌用光を透過することのできる材料により構成する等、殺菌用光の影の発生を防止する方法で設ける。あるいは両押圧シート５１９Ａ等端部に磁石等の磁力手段を設けることにより、シート固定手段とすることもできる。
【００３５】
図において本押圧シート５１９Ａ等の使用方法は、両押圧シート５１６Ａ、５１６Ｂを開いて屋根上平面部５１１上に布類等の消毒対象物を掛け渡し、しわを伸ばして展開し、その上を両押圧シート５１６Ａ等で被覆し、シート固定手段５１９Ａ等により両押圧シート５１９Ａ等を固定する。これにより、布類等の消毒対象物にしわを発生させず、あるいはしわを伸ばした状態で、消毒処理済み物を得ることができる。
【００３６】
図８は、本発明の消毒装置の別の構成例を示す説明図である。図において本消毒装置１００は、図１（前出）に示した構成に加えて、前記殺菌用光源２としては紫外線光源を用い、該殺菌用光源２は前記筐体１内の天井部１１、および、前記可動ステージ部４２、もしくは該筐体１の床部のいずれか一方に少なくとも設ける構成とすることができる（請求項５）。前記ハンガー単位を構成する屋根上平面部を、上述のように殺菌用光透過性とすることにより、該ハンガー単位に設置した布類等消毒対象物に対し、上下両方向から消毒処理を施すことができ、消毒処理の効率を向上させ、処理能力を高めることができる。なお該殺菌用光源２は筐体１内の他の位置にも適宜数設けることができるのは、前述のとおりである。
【００３７】
【発明の効果】
本発明の消毒装置は上述のように構成されているため、特に、理容・美容業など衛生の求められる分野において使用する器具や布類等シート類を迅速かつ容易に消毒処理することができる。また、装置操作の際の安全性を高め、消毒対象物の設置を容易にし、さらに処理能力を高めることができる。
【図面の簡単な説明】
【図１】本発明の消毒装置の断面構成を示す説明図である。
【図２】本発明の消毒装置の可動ステージ部を外に引き出した状態の断面構成を示す説明図である。
【図３】本発明の消毒装置の布類消毒用ハンガー部の側面方向視の構成を示す説明図である。
【図４】本発明の消毒装置の布類消毒用ハンガー部のハンガー単位を押縮し、棚部を使用可能にセットした状態の、側面方向視の構成を示す説明図である。
【図５】本発明に係る布類消毒用ハンガー部の構成を斜視方向から示す説明図である。
【図６】本発明に係るハンガー単位に押圧手段を施した状態の側面方向視の構成を示す説明図である。
【図７】本発明の押圧手段の例を、屋根上平面部の正面視方向から示す説明図である。
【図８】本発明の消毒装置の別の構成例を示す説明図である。
【符号の説明】
１…筐体、  ２…殺菌用光源、  ３…可動ユニット、  ５…布類消毒用ハンガー部、  ６…棚部、  １１…天井部、  １８…扉部、  ４１…基台部、  ４２…可動ステージ部、  ５１…ハンガー単位、  ５３…ハンガー部伸縮手段、  ５４…支柱部、  １００…消毒装置、  ５１１…屋根状平面部、  ５１２…背骨部、  ５１３…押圧手段、  ５１６Ａ、５１６Ｂ…押圧シート、  ５１９Ａ、５１９Ｂ…シート固定手段、  Ｆ…ハンガー部の押縮方向、  Ｒ…棚部の回動方向、  Ｓ…可動ステージ部の摺動方向
【図１】
2004166875.tif 000003
【図２】
2004166875.tif 000004
【図３】
2004166875.tif 000005
【図４】
2004166875.tif 000006
【図５】
2004166875.tif 000007
【図６】
2004166875.tif 000008
【図７】
2004166875.tif 000009
【図８】
2004166875.tif 000010